(57)【特許請求の範囲】
【請求項１】
ケーシング（４０）と、
上記ケーシング（４０）を支える複数のケーシング脚（４６）と、
上記ケーシング（４０）内に配置されると共に温水を貯留する缶体（１１）と、
上記缶体（１１）に貯留される温水を加熱するための水熱交換器（１２）と
を備え、
上記水熱交換器（１２）は、上記ケーシング（４０）の底板（４５）の下側に配置されることを特徴とする貯湯ユニット。
【請求項２】
請求項１に記載の貯湯ユニットにおいて、
上記水熱交換器（１２）は、上記底板（４５）に直接的にまたは間接的に取り付けられることを特徴とする貯湯ユニット。
【請求項３】
請求項２に記載の貯湯ユニットにおいて、
上記水熱交換器（１２）は、上記底板（４５）に取り付けられた支持部（７１）に支持されることを特徴とする貯湯ユニット。
【請求項４】
請求項１に記載の貯湯ユニットにおいて、
上記ケーシング（４０）の底板（４５）の下側の空間を囲むカバー部材（６０）を備え、
上記水熱交換器（１２）は、上記カバー部材（６０）に囲まれると共に、上記カバー部材（６０）に直接的にまたは間接的に取り付けられることを特徴とする貯湯ユニット。
【請求項５】
請求項１から４の何れか一つの貯湯ユニット（１）と、
上記貯湯ユニット（１）の上記水熱交換器（１２）に接続される圧縮機（２１）、膨張手段（２２）および空気熱交換器（２３）を含むヒートポンプユニット（２）と
を備えることを特徴とする給湯装置。
【発明の詳細な説明】
【技術分野】
【０００１】
この発明は、貯湯ユニットおよび給湯装置に関する。
【背景技術】
【０００２】
従来、貯湯ユニットとしては、特開２００２−３１０４９９号公報（特許文献１）に記載されたものがある。この貯湯ユニットは、缶体と、缶体に貯留される温水を加熱するためのヒートポンプとを備えている。ヒートポンプは、圧縮機と水熱交換器と膨張弁と空気熱交換器とを有する。缶体およびヒートポンプは、ケーシング内に、収容されている。
【先行技術文献】
【特許文献】
【０００３】
【特許文献１】特開２００２−３１０４９９号公報
【発明の概要】
【発明が解決しようとする課題】
【０００４】
ところで、上記従来の貯湯ユニットでは、ヒートポンプの水熱交換器をメンテナンスで交換等することは、考慮されていなかった。もし、水熱交換器を交換しようとすると、ケーシングをばらばらに分解してから、水熱交換器を取り外さなければならず、手間である。
【０００５】
そこで、この発明の課題は、水熱交換器の取り外し、取り付けまたは点検を容易にできる貯湯ユニットおよび給湯装置を提供することにある。
【課題を解決するための手段】
【０００６】
上記課題を解決するため、この発明の貯湯ユニットは、
ケーシングと、
上記ケーシングを支える複数のケーシング脚と、
上記ケーシング内に配置されると共に温水を貯留する缶体と、
上記缶体に貯留される温水を加熱するための水熱交換器と
を備え、
上記水熱交換器は、上記ケーシングの底板の下側に配置されることを特徴としている。
【０００７】
この発明の貯湯ユニットによれば、上記水熱交換器は、上記ケーシングの底板の下側に配置される。これにより、水熱交換器のメンテナンス時に、底板の下側から水熱交換器を容易に取り外し、取り付け、または、点検することができる。
【０００８】
また、一実施形態の貯湯ユニットでは、上記水熱交換器は、上記底板に直接的にまたは間接的に取り付けられる。
【０００９】
この実施形態の貯湯ユニットによれば、上記水熱交換器は、上記底板に直接的にまたは間接的に取り付けられる。これにより、ケーシングの一部を利用して水熱交換器を取り付けることができ、部品数を軽減できる。
【００１０】
また、一実施形態の貯湯ユニットでは、上記水熱交換器は、上記底板に取り付けられた支持部に支持される。
【００１１】
この実施形態の貯湯ユニットによれば、上記水熱交換器は、上記支持部に支持される。これにより、水熱交換器の取付を容易にかつ確実に行うことができる。
【００１２】
また、一実施形態の貯湯ユニットでは、
上記ケーシングの底板の下側の空間を囲むカバー部材を備え、
上記水熱交換器は、上記カバー部材に囲まれると共に、上記カバー部材に直接的にまたは間接的に取り付けられる。
【００１３】
この実施形態の貯湯ユニットによれば、上記水熱交換器は、上記カバー部材に囲まれると共に、上記カバー部材に直接的にまたは間接的に取り付けられる。これにより、ケーシングの下側の空間を囲むカバー部材を利用して水熱交換器を取り付けることができ、部品数を軽減できる。
【００１４】
また、一実施形態の給湯装置では、
上記貯湯ユニットと、
上記貯湯ユニットの上記水熱交換器に接続される圧縮機、膨張手段および空気熱交換器を含むヒートポンプユニットと
を備える。
【００１５】
この実施形態の給湯装置によれば、上記ヒートポンプユニットは、上記圧縮機、上記膨張手段および上記空気熱交換器を含む。これにより、貯湯ユニットに、圧縮機、膨張手段または空気熱交換器を配置していないので、水熱交換器のメンテナンスの際に邪魔になるものがなくてメンテナンスが一層容易になる。
【発明の効果】
【００１６】
この発明の貯湯ユニットおよび給湯装置によれば、上記水熱交換器は、上記ケーシングの底板の下側に配置されるので、水熱交換器の取り外し、取り付けまたは点検を容易にできる。
【図面の簡単な説明】
【００１７】
【図１】本発明の第１実施形態の給湯装置を示す簡略構成図である。
【図２】給湯装置の回路図である。
【図３】貯湯ユニットの斜視図である。
【図４】貯湯ユニットの簡略断面図である。
【図５】本発明の第２実施形態の貯湯ユニットの簡略断面図である。
【発明を実施するための形態】
【００１８】
以下、この発明を図示の実施の形態により詳細に説明する。
【００１９】
（第１の実施形態）
図１は、この発明の第１実施形態の給湯装置を示す簡略構成図である。図２は、給湯装置の回路図である。図１と図２に示すように、給湯装置は、温水を貯留する貯湯ユニット１と、貯湯ユニット１に貯留される温水を加熱するヒートポンプユニット２とを備える。
【００２０】
上記貯湯ユニット１は、温水を貯留する缶体１１と、上記缶体１１に貯留される温水を加熱するための水熱交換器１２とを有する。上記ヒートポンプユニット２は、上記水熱交換器１２に接続される圧縮機２１、膨張手段２２および空気熱交換器２３を含む。圧縮機２１、水熱交換器１２、膨張手段２２および空気熱交換器２３は、冷媒配管３１を介して、順に接続される。水熱交換器１２は、凝縮器として作用し、空気熱交換器２３は、蒸発器として作用する。膨張手段２２は、例えば、膨張弁である。
【００２１】
上記缶体１１の底部には、給水源Ｅに接続される給水配管３２から分岐した一方の入水流路３２ａが、接続されている。これにより、給水源Ｅから供給される市水が、入水流路３２ａを介して、缶体１１の底部に導入される。また、缶体１１の底部には、循環配管３３の一端が、接続されている。この循環配管３３には、循環ポンプ３４および上記水熱交換器１２が接続されている。
【００２２】
上記缶体１１の頂部には、上記循環配管３３の他端が接続されている。また、缶体１１の頂部には、給湯配管３５を介して、混合弁３６が接続されている。この混合弁３６には、給水配管３２から分岐した他方の入水流路３２ｂと、給湯端末Ｔとが接続されている。これにより、缶体１１の頂部から出湯された温水を、給水源Ｅから供給される水と混合することが可能となり、給湯端末Ｔにおいて、所望の温度の温水を供給できる。なお、図２では省略しているが、図１に示すように、缶体１１には、風呂用循環配管３７が接続され、風呂の水を循環させる。
【００２３】
そして、上記圧縮機２１および上記循環ポンプ３４を駆動させると、缶体１１内の水が、缶体１１の底部から循環配管３３を流れる。このとき、循環配管３３を流れる水は、水熱交換器１２によって加熱され（沸き上げられ）、缶体１１の頂部に返流される。このような動作を継続して行うことによって、缶体１１に高温の温水を貯留することができる。缶体１１内の温水は、給湯端末Ｔや風呂に供給される。
【００２４】
図３に示すように、上記貯湯ユニット１は、ケーシング４０を有する。ケーシング４０は、図示しない前板と、左右の側板４２，４２と、後板４３と、上板４４と、底板４５とを有する。ケーシング４０は、３つのケーシング脚４６に支えられ、起立している。ケーシング脚４６は、前方に１つあり、後方に２つある。ケーシング脚４６の上端は、底板４５に固定されている。ケーシング脚４６は、底板４５の下側に、空間を形成する。
【００２５】
上記缶体１１は、ケーシング４０内に配置されている。缶体１１は、複数の缶体脚５０に支えられ、起立している。缶体脚５０の上端は、缶体１１の側面に固定され、缶体脚５０の下端は、ケーシング４０の底板４５に固定されている。
【００２６】
図４に示すように、上記水熱交換器１２は、ケーシング４０の底板４５の下側に配置されている。つまり、水熱交換器１２は、ケーシング４０の外側に配置されている。水熱交換器１２は、複数のケーシング脚４６と底板４５とで囲まれた空間に、位置する。
【００２７】
上記水熱交換器１２は、底板４５に間接的に吊持ち状に取り付けられる。具体的に述べると、底板４５の下面には、支持部７１が取り付けられ、この支持部７１上に水熱交換器１２が載置される。支持部７１は、例えば、箱形に形成され、水熱交換器１２は、この支持部７１内に収容される。支持部７１を、例えば断熱材で構成することで、水熱交換器１２の断熱を兼用できる。また、水熱交換器１２を断熱材で囲み、それを支持部７１内に載置してもよい。
【００２８】
上記構成の貯湯ユニット１によれば、上記水熱交換器１２は、上記ケーシング４０の底板４５の下側に配置される。これにより、水熱交換器１２のメンテナンス時に、ケーシング４０をばらばらに分解することなく、底板４５の下側から水熱交換器１２を容易に取り外し、取り付け、または、点検することができる。
【００２９】
これに対して、従来では、水熱交換器は、ケーシング内に、収容されていたので、万一、水熱交換器をメンテナンスしようとすると、ケーシングをばらばらに分解してから、水熱交換器を取り外さなければならず、手間であった。つまり、従来では、水熱交換器をメンテナンスするということは、全く考慮されていなかった。このため、従来では、水熱交換器をあえてケーシング外に出すということは、想定外である。
【００３０】
また、上記水熱交換器１２は、複数のケーシング脚４６の間の空間に位置するので、デッドスペースを有効に利用できる。
【００３１】
また、上記水熱交換器１２は、上記底板４５に間接的に取り付けられる。これにより、ケーシング４０の一部を利用して水熱交換器１２を取り付けることができ、部品数を軽減できる。
【００３２】
また、上記水熱交換器１２は、上記支持部７１に支持される。これにより、水熱交換器１２を支持部７１に支持させるだけで、水熱交換器１２の取付を容易にかつ確実に行うことができる。
【００３３】
また、上記ヒートポンプユニット２は、上記圧縮機２１、上記膨張手段２２および上記空気熱交換器２３を含む。これにより、貯湯ユニット１に、圧縮機２１、膨張手段２２または空気熱交換器２３を配置していないので、水熱交換器１２のメンテナンスの際に邪魔になるものがなくてメンテナンスが一層容易になる。
【００３４】
（第２の実施形態）
図５は、この発明の第２実施形態の貯湯ユニットを示す簡略断面図である。この第２の実施形態は、上記第１の実施形態とは、水熱交換器を支持する部材のみが相違する。なお、この第２の実施形態において、上記第１の実施形態と同一の部分には、同一の参照番号を付して、詳細な説明を省略する。
【００３５】
図５に示すように、ケーシング４０の底板４５の下側の空間は、カバー部材６０により、囲まれている。カバー部材６０は、ケーシング４０の周方向に延在し、底板４５の下側の空間の前後左右を覆う。カバー部材６０は、側板４２や底板４５に離脱自在に取り付けられている。カバー部材６０は、いわゆる化粧カバーである。
【００３６】
水熱交換器１２は、上記カバー部材６０に囲まれると共に、上記カバー部材６０に間接的に取り付けられる。具体的に述べると、カバー部材６０の内面には、支持部７２が取り付けられ、この支持部７２上に水熱交換器１２が載置される。また、水熱交換器１２を断熱材で囲み、それを支持部７２上に載置してもよい。
【００３７】
そして、上記水熱交換器１２のメンテナンス時、ケーシング４０をばらばらに分解することなく、カバー部材６０を取り外すだけで、水熱交換器１２を容易に取り外し、取り付け、または、点検することができる。
【００３８】
この第２実施形態の貯湯ユニットによれば、上記水熱交換器１２は、上記カバー部材６０に間接的に取り付けられるので、ケーシング４０の下側の空間を囲むカバー部材６０を利用して水熱交換器１２を取り付けることができ、部品数を軽減できる。
【００３９】
なお、この発明は上述の実施形態に限定されない。例えば、上記第１と上記第２の実施形態のそれぞれの特徴点を様々に組み合わせてもよい。また、ケーシング脚の数量の増減は、自由である。
【００４０】
上記実施形態では、水熱交換器は、支持部を介して、底板やカバー部材に間接的に取り付けられていたが、底板やカバー部材に直接的に取り付けられるようにしてもよい。
【００４１】
上記実施形態では、水熱交換器は、底板やカバー部材に取り付けられていたが、ケーシング脚などに直接的にまたは間接的に取り付けられるようにしてもよく、水熱交換器が、ケーシングの底板の下側に配置されていればよい。
【符号の説明】
【００４２】
１  貯湯ユニット
２  ヒートポンプユニット
１１  缶体
１２  水熱交換器
２１  圧縮機
２２  膨張手段
２３  空気熱交換器
４０  ケーシング
４５  底板
４６  ケーシング脚
５０  缶体脚
６０  カバー部材
７１，７２  支持部
【要約】
【課題】水熱交換器の取り外し、取り付けまたは点検を容易にできる貯湯ユニットを提供する。
【解決手段】水熱交換器１２は、ケーシングの底板４５の下側に配置される。これにより、水熱交換器１２のメンテナンス時に、ケーシングをばらばらに分解することなく、底板４５の下側から水熱交換器１２を容易に取り外し、取り付け、または、点検することができる。
【選択図】図４【図１】
0005574016.tif 000002
【図２】
0005574016.tif 000003
【図３】
0005574016.tif 000004
【図４】
0005574016.tif 000005
【図５】
0005574016.tif 000006